【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
エンジンの出力を必要としなくなった場合に前記エンジンを自動的に停止させ、前記エンジンの出力が必要になりエンジン再始動要求があれば、前記エンジンの惰性回転中であっても、エンジン始動装置を作動させて前記エンジンを再始動させるアイドルストップシステムを採用した車両のエンジン始動装置であって、
前記エンジンに連結されたリングギヤに噛み合うピニオンギヤ、
前記ピニオンギヤを回転駆動するモータ、
前記ピニオンギヤを前記リングギヤと噛み合う位置に移動させる押し出し機構、および
前記エンジン再始動要求に基づいて通電されると、プランジャーを駆動して前記押し出し機構に前記ピニオンギヤを前記リングギヤと噛み合う位置に移動させる動作をさせると共に、電磁スイッチを作動させて前記モータに前記ピニオンギヤを回転駆動する動作をさせる前記プランジャーの駆動および前記電磁スイッチの作動に共用のプランジャー駆動コイルを備え、
前記モータを直巻巻線界磁式直流電動機として前記リングギヤの惰性回転中に前記ピニオンギヤが前記リングギヤに回転同期するまでの時間を短縮する
ことを特徴とするアイドルストップシステムを採用した車両のエンジン始動装置。
【請求項２】
請求項１に記載のアイドルストップシステムを採用した車両のエンジン始動装置において、
前記ピニオンギヤが噛み合い時間短縮タイプのピニオンギヤである
ことを特徴とするアイドルストップシステムを採用した車両のエンジン始動装置。
【請求項３】
請求項２に記載のアイドルストップシステムを採用した車両のエンジン始動装置において、
前記噛み合い時間短縮タイプのピニオンギヤが、前記リングギヤとの噛み合い後のトルク伝達用ピニオンギヤと、前記リングギヤとの回転同期を司る同期専用ピニオンギヤとで構成された噛み合い時間短縮タイプのピニオンギヤである
ことを特徴とするアイドルストップシステムを採用した車両のエンジン始動装置。
【請求項４】
請求項２に記載のアイドルストップシステムを採用した車両のエンジン始動装置において、
前記噛み合い時間短縮タイプのピニオンギヤが、トルクを伝達するギヤ面よりも歯厚が細くなった同期専用のギヤ面を有した噛み合い時間短縮タイプのピニオンギヤである
ことを特徴とするアイドルストップシステムを採用した車両のエンジン始動装置。
【請求項５】
請求項２に記載のアイドルストップシステムを採用した車両のエンジン始動装置において、
前記噛み合い時間短縮タイプのピニオンギヤが、前記ピニオンギヤの前記リングギヤの側の先端に同期専用突起部を有した噛み合い時間短縮タイプのピニオンギヤである
ことを特徴とするアイドルストップシステムを採用した車両のエンジン始動装置。
【請求項６】
請求項２に記載のアイドルストップシステムを採用した車両のエンジン始動装置において、
前記噛み合い時間短縮タイプのピニオンギヤが、前記ピニオンギヤの前記リングギヤの側の端面の反トルク伝達歯面側に、前記ピニオンギヤの歯面と平行な形状の面取を有する噛み合い時間短縮タイプのピニオンギヤである
ことを特徴とするアイドルストップシステムを採用した車両のエンジン始動装置。
【請求項７】
請求項２に記載のアイドルストップシステムを採用した車両のエンジン始動装置において、
前記噛み合い時間短縮タイプのピニオンギヤが、前記ピニオンギヤの前記リングギヤの側の端面の反トルク伝達歯面側に、前記ピニオンギヤの歯面と平行な形状の少なくとも２面以上の多段面取を有する噛み合い時間短縮タイプのピニオンギヤである
ことを特徴とするアイドルストップシステムを採用した車両のエンジン始動装置。
【手続補正２】
【補正対象書類名】明細書
【補正対象項目名】００１１
【補正方法】変更
【補正の内容】
【００１１】
実施の形態１．
以下、本実施の形態を図１〜図８により説明する。
先ず、本実施の形態のアイドルストップシステム採用車両のエンジン始動装置の全体構造を説明する。
本実施の形態のアイドルストップシステム採用車両のエンジン始動装置は、電磁スイッチ１、プランジャー駆動コイル２、プランジャー３、押し出し機構４、動力伝達機構部５、オーバランニングクラッチ６、ピニオンギヤ７、噛み合い時間短縮形状ピニオンの面取部７ａ，７ｂ、直巻巻線界磁式直流電動機（以下「モータ」と記す）９、界磁巻線１０、回転子１１、および接続手段１２を備えている。なお、プランジャー駆動コイル２は周知のように電磁スイッチ１内に設けられている（図１参照）。８はアイドルストップシステム採用車両のエンジンに連結されているリングギヤである。
【手続補正３】
【補正対象書類名】明細書
【補正対象項目名】００１２
【補正方法】変更
【補正の内容】
【００１２】
プランジャー３は、プランジャー駆動コイル２の付勢時に左方向（矢印Ａ方向）に駆動される。
押し出し機構４は、プランジャー駆動コイル２の付勢時にプランジャー３を介して回動中心４ｃを中心に反時計方向（矢印Ｂ方向）に回動する。
動力伝達機構部５は、モータ９の回転動力をオーバランニングクラッチ６に伝達する。
オーバランニングクラッチ６は、動力伝達機構部５を介してモータ９の回転動力をピニオンギヤ７に伝達するクラッチであり、リングギヤ８の回転数がピニオンギヤ７の回転数より高い場合にピニオンギヤ７を空回りさせ動力伝達機構部５およびモータ９にリングギヤ８の回転トルクが伝達されないようにする一方向回転動力伝達機構である。
ピニオンギヤ７は、動力伝達機構部５およびオーバランニングクラッチ６を介してモータ９の回転動力が伝達され、プランジャー駆動コイル２の付勢時にプランジャー３を介して回動中心４ｃを中心に反時計方向（矢印Ｂ方向）に回動する押し出し機構４の前記矢印Ｂ方向の回動によってリングギヤ８との回転同期後にそのトルク伝達部がリングギヤ８と噛合する。
噛み合い時間短縮形状ピニオンの面取部７ａ，７ｂについては、図５〜図８によって後述する。
モータ９は、直流電動機につき、起動時は大きい起動時電流Ｉｓｓを生じる。
接続手段１２は、電磁スイッチ１とモータ９とを接続する電線である。換言すれば、電磁スイッチ１のプランジャー駆動コイル２等とモータ９の界磁巻線１０とは、接続手段１２を介して図２のように接続される。
【手続補正４】
【補正対象書類名】明細書
【補正対象項目名】００１５
【補正方法】変更
【補正の内容】
【００１５】
モータ９への通電電流はスイッチ１から接続手段１２を通して界磁巻線１０に流れた後、プラスブラシ（図示せず）を介して回転子１１内を流れ、マイナスブラシ（図示せず）を介してアース部分（図２の参照。図１には図示せず）へと流れることにより、モータ９は駆動を開始する。
モータ９が駆動を開始し、このモータ駆動は動力伝達機構部５、オーバランニングクラッチ６を介してピニオンギヤ７に伝達され、ピニオンギヤ７は回転を開始する。この後、リングギヤ８の回転数にピニオンギヤ７の回転数が概同期する（直巻巻線界磁式直流電動機の場合の前記概同期するタイミングはｔ４−２、永久磁石界磁式直流電動機の場合の前記概同期するタイミングはｔ５）と、押し出し機構４による押し出し力によりピニオンギヤ７がリングギヤ８に噛み合い、モータ９で駆動したトルクをリングギヤ８に伝達することでエンジンを再始動する（直巻巻線界磁式直流電動機の場合のエンジンが再始動するタイミングはｔ６−２、永久磁石界磁式直流電動機の場合のエンジンが再始動するタイミングはｔ７）。
【手続補正５】
【補正対象書類名】明細書
【補正対象項目名】００２２
【補正方法】変更
【補正の内容】
【００２２】
ピニオンギヤのリングギヤへの当接から互いの回転数の概同期し噛み合うまでの時間はすなわち互いの当接面が滑り摩擦動作をしている時間であり、運転者にとって不快な異音の発生時間でもある。ピニオンギヤのリングギヤへの当接から互いの回転数の概同期し噛み合うまでの、この不快異音発生時間の短縮になり、アイドルストップシステム採用車両のエンジン始動装置におけるピニオンギヤを駆動するモータを直巻巻線界磁式直流電動機
とすることは、この点でも効果を得ることが出来る。
【手続補正６】
【補正対象書類名】明細書
【補正対象項目名】００３０
【補正方法】変更
【補正の内容】
【００３０】
ピニオンギヤの、リングギヤ側端面の反トルク伝達歯面側に設ける面取を、ピニオンギヤ歯面と平行（略平行を含む）した曲線形状とすることで、前記Ｆｒ、Ｆｚの力の大きさ、および方向を概同様に維持することが可能になるため、Ｆｚ方向への力の大きな変動を防止することができるようになる。これにより前述の、リングギヤでのピニオンギヤ押し返しによる噛み合い時間のロスを無くすことに繋がり、噛み合い時間の短縮と、これにより再始動時間を短縮できる効果が得られるものである。
【手続補正７】
【補正対象書類名】明細書
【補正対象項目名】００３２
【補正方法】変更
【補正の内容】
【００３２】
なおピニオンギヤ歯面と平行した曲線形状の面取は、複数（２つ以上）の直線形状面取の組合せとする（以下、多段面取と称す）ことによって、前記のピニオンギヤ歯面と平行した曲線形状の面取と、概同等の効果を得られるようにしてもよい。
【手続補正８】
【補正対象書類名】明細書
【補正対象項目名】００３３
【補正方法】変更
【補正の内容】
【００３３】
なお、本発明は、その発明の範囲内において、実施の形態を適宜、変形、部分的に省略することができる。
なお、各図中、同一符号は同一または相当部分を示す。
【手続補正９】
【補正対象書類名】明細書
【補正対象項目名】００３４
【補正方法】変更
【補正の内容】
【００３４】
１    電磁スイッチ、              ２    プランジャー駆動コイル、
２ｃ    プランジャー保持コイル、  ３    プランジャー、    ４    押し出し機構、
４ｃ    回動中心、                ５    動力伝達機構部、
６    オーバランニングクラッチ、  ７    ピニオンギヤ、
７ａ、７ｂ、７ｃ    ピニオンの面取、  ８    リングギヤ、
９    直巻巻線界磁式直流電動機（モータ）、  １０    界磁巻線、  １１    回転子、  １２    接続手段、  １００    接点部、
ＢＴ    バッテリ、            ＳＳＴ    始動スイッチ、
Ｃ／Ｕ  コントロールユニット（再始動用）。
【手続補正１０】
【補正対象書類名】図面
【補正対象項目名】図２
【補正方法】変更
【補正の内容】
【図２】
2014234762.tif 000001